【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
像担持体と、前記像担持体を支持し、装置本体の内部に位置する内部位置と前記装置本体の外部に位置する外部位置との間を移動する移動部材と、前記移動部材が前記内部位置にある時、前記像担持体と接触する転写体と、を有し、前記移動部材が前記外部位置にある時、前記移動部材の露出部から前記像担持体を鉛直方向で上方に露出させた状態で、前記移動部材が前記像担持体を支持する画像形成装置において、
前記移動部材に設けられ、前記像担持体の表面を保護する保護部材と、
前記移動部材が外側位置にある時に、前記保護部材が前記像担持体の前記露出部により露出された部分より上方に突出した第１位置で前記保護部材を保持し、前記移動部材が内側位置にある時に、前記保護部材が前記転写体よりも下方にある第２位置で前記保護部材を保持する保持機構と、
を有することを特徴とする画像形成装置。
【請求項２】
前記装置本体に設けられ、前記移動部材が移動するための開口部を開閉するドアを有し、前記保持機構は前記ドアの開閉に連動し、前記ドアが閉じると前記上方の位置から前記下方の位置に変位させて保持することを特徴とする請求項１に記載の画像形成装置。
【請求項３】
前記像担持体と前記転写体との接離は前記ドアの開閉に連動し、前記ドアが開くと前記像担持体と前記転写体とが離間することを特徴とする請求項２に記載の画像形成装置。
【請求項４】
前記第２位置は、前記保護部材が前記像担持体の前記露出部に露出された部分よりも上方に配置されていない位置であることを特徴とする請求項１乃至３のいずれか１項に記載の画像形成装置。
【請求項５】
像担持体と、前記像担持体を支持し、装置本体の内部に位置する内部位置と前記装置本体の外部に位置する外部位置との間を移動する移動部材と、を有し、前記移動部材が前記外部位置にある時、前記移動部材の露出部から前記像担持体を鉛直方向で上方に露出させた状態で、前記移動部材が前記像担持体を支持する画像形成装置において、
前記移動部材に設けられ、前記像担持体の表面を保護する保護部材と、
前記移動部材が外側位置にある時に、前記保護部材が前記像担持体の前記露出部により露出された部分より上方に突出した第１位置で前記保護部材を保持し、前記移動部材が内側位置にある時に、前記保護部材が前記像担持体の前記露出部に露出された部分よりも上方に配置されていない第２位置で前記保護部材を保持する保持機構と、
を有することを特徴とする画像形成装置。
【請求項６】
前記装置本体に設けられ、前記移動部材が移動するための開口部を開閉するドアを有し、前記保持機構は前記ドアの開閉に連動し、前記ドアが閉じると前記上方の位置から鉛直方向で下方の位置に変位させて保持することを特徴とする請求項５に記載の画像形成装置。
【請求項７】
前記保護部材は平板状であり、
前記保持機構は、前記移動部材に設けられ前記保護部材と連結して前記保護部材を前記移動部材に対して移動可能にするリンク部材を備えることを特徴とする請求項１乃至６のいずれか１項に記載の画像形成装置。
【請求項８】
前記保護部材は、前記移動部材の移動方向に沿って一体的に設けられることを特徴とする請求項１乃至７のいずれか１項に記載の画像形成装置。
【請求項９】
前記保護部材は、前記移動部材の移動方向に沿って複数別体で設けられることを特徴とする請求項１乃至７のいずれか１項に記載の画像形成装置。
【請求項１０】
前記移動部材は、複数の前記像担持体を支持可能で、前記保護部材は、前記複数の像担持体のそれぞれに対応して複数設けられることを特徴とする請求項１乃至９のいずれか１項に記載の画像形成装置。
【請求項１１】
前記複数の保護部材は、それぞれ色識別部を備えることを特徴とする請求項１０に記載の画像形成装置。
【請求項１２】
前記複数の保護部材のそれぞれに対応する複数の前記保持機構を有することを特徴とする請求項１０に記載の画像形成装置。
【請求項１３】
前記保持機構は、前記保護部材の高さ位置を変えるために前記保護部材を昇降させる手段を備えることを特徴とする請求項１乃至１２のいずれか１項に記載の画像形成装置。
【請求項１４】
前記保持機構は、前記保護部材の高さ位置を変えるために前記保護部材を回動させる手段を備えることを特徴とする請求項１乃至１２のいずれか１項に記載の画像形成装置。
【請求項１５】
前記保持機構は、前記像担持体を前記移動部材に対して移動させることで前記像担持体の高さ位置を変えることを特徴とする請求項１乃至１２のいずれか１項に記載の画像形成装置。
【請求項１６】
前記移動部材は、カートリッジを装着する装着部を備え、前記外部位置において前記カートリッジを前記装着部に着脱可能であることを特徴とする請求項１乃至１５のいずれか１項に記載の画像形成装置。
【請求項１７】
前記カートリッジは、前記像担持体または前記像担持体に供給する現像剤を担持する現像剤担持体のうちの少なくとも一方を備えることを特徴とする請求項１６に記載の画像形成装置。
【請求項１８】
前記保護部材は、前記カートリッジを前記装着部に装着する際の開口部の両端に設けられることを特徴とする請求項１６又は１７に記載の画像形成装置。
【請求項１９】
前記像担持体に静電潜像を形成する露光手段を、前記像担持体より鉛直方向で下方に配置したことを特徴とする請求項１乃至１８のいずれか１項に記載の画像形成装置。
【手続補正２】
【補正対象書類名】明細書
【補正対象項目名】０００８
【補正方法】変更
【補正の内容】
【０００８】
上記目的を達成するため、本発明に係る画像形成装置は、像担持体と、前記像担持体を支持し、装置本体の内部に位置する内部位置と前記装置本体の外部に位置する外部位置との間を移動する移動部材と、前記移動部材が前記内部位置にある時、前記像担持体と接触する転写体と、を有し、前記移動部材が前記外部位置にある時、前記移動部材の露出部から前記像担持体を鉛直方向で上方に露出させた状態で、前記移動部材が前記像担持体を支持する画像形成装置において、前記移動部材に設けられ、前記像担持体の表面を保護する保護部材と、前記移動部材が外側位置にある時に、前記保護部材が前記像担持体の前記露出部により露出された部分より上方に突出した第１位置で前記保護部材を保持し、前記移動部材が内側位置にある時に、前記保護部材が前記転写体よりも下方にある第２位置で前記保護部材を保持する保持機構と、を有することを特徴とする。
また、本発明に係る別の画像形成装置は、像担持体と、前記像担持体を支持し、装置本体の内部に位置する内部位置と前記装置本体の外部に位置する外部位置との間を移動する移動部材と、を有し、前記移動部材が前記外部位置にある時、前記移動部材の露出部から前記像担持体を鉛直方向で上方に露出させた状態で、前記移動部材が前記像担持体を支持する画像形成装置において、前記移動部材に設けられ、前記像担持体の表面を保護する保護部材と、前記移動部材が外側位置にある時に、前記保護部材が前記像担持体の前記露出部により露出された部分より上方に突出した第１位置で前記保護部材を保持し、前記移動部材が内側位置にある時に、前記保護部材が前記像担持体の前記露出部に露出された部分よりも上方に配置されていない第２位置で前記保護部材を保持する保持機構と、を有することを特徴とする。